(57)【要約】【課題】運搬中の接触等によって隅部における支柱が脱落することがあった。【解決手段】この発明にかかる雨水等の貯留及び浸透槽用充填材は、中空体である複数の着脱自在支柱を連結部材によって垂直に固定してなり、前記連結部材は、着脱自在支柱の端部を挿入固定する複数の支柱嵌合部を有し、支柱嵌合部を連結桟及び縁枠で一体に連結してなる。前記支柱嵌合部は支柱端部を挿入する筒部と内部に設けたストッパーからなり、筒部はストッパーによって上面開口部と下面開口部に分割されている。隅部における下面開口部は、縁枠の下端から下方に突出している。隅部における下面開口部の長さは、着脱自在支柱の幅の０．７５〜３．０倍が好ましい。【選択図】　　　図１
2004019205.tif 000002
【特許請求の範囲】
【請求項１】
中空体である複数の着脱自在支柱と前記着脱自在支柱を垂直に固定する連結部材とからなり、前記連結部材は、着脱自在支柱端部を挿入固定する複数の支柱嵌合部を連結桟及び縁枠で一体に連結し、前記支柱嵌合部は着脱自在支柱端部を挿入する筒部の内部に設けたストッパーにより上面開口部と下面開口部に分割されており、隅部における下面開口部を縁枠の下端から下方に突出させたことを特徴とする雨水等の貯留及び浸透槽用充填材。
【請求項２】
隅部における下面開口部の長さを、着脱自在支柱の幅の０．７５〜３．０倍にしたことを特徴とする請求項１に記載の雨水等の貯留及び浸透槽用充填材。
【請求項３】
中空体である複数の着脱自在支柱と前記着脱自在支柱を垂直に固定する連結部材とからなり、前記連結部材は、着脱自在支柱の端部を挿入固定する複数の支柱嵌合部を連結桟及び縁枠で一体に連結し、前記支柱嵌合部は支柱端部を挿入する筒部の内部に設けたストッパーにより上面開口部と下面開口部に分割されており、隅部における下面開口部を縁枠の下端から下方に延長して固定支柱を一体に形成したことを特徴とする雨水等の貯留及び浸透槽用充填材。
【請求項４】
連結部材の略中心部に設けた支柱嵌合部の下面開口部を縁枠の下端から下方に延長して固定支柱を一体に形成したことを特徴とする請求項３に記載の雨水等の貯留及び浸透槽用充填材。
【発明の詳細な説明】
【０００１】
【発明の属する技術分野】
この発明は、上面が被覆層で覆われた雨水等の貯留及び浸透用槽に用いる充填材に係り、詳しくは、上面が被覆層で覆われた雨水等を貯留及び浸透させる水溜用空間施設を施工する際に、上面被覆層の重量、上面被覆層にかかる荷重及び側面からの土圧を支える雨水等の貯留及び浸透槽用充填材に関する。
【０００２】
【従来の技術】
都市部での家屋の浸水や河川の氾濫を防止するために、あるいは、水不足対策として、水溜用空間施設である雨水等の貯留及び浸透槽を施工することが行われている。これらの雨水等の貯留及び浸透槽は、雨水等を一定時間貯留した後、河川等に順次放流したり、積極的に地下に浸透させることにより、雨水等による河川の氾濫、家屋の浸水による災害を防止する。さらに、雨水等の貯留及び浸透槽は、貯留した雨水等を汲み上げて利用するために用いられる。
【０００３】
このような雨水等の貯留及び浸透槽に充填する充填材として、出願人らは先に、特許第３２０８３７９号公報記載の「雨水等の貯留及び浸透施設用充填材」を提案した。この充填材は、次のように構成されている。即ち、中空体である複数の支柱と前記支柱を垂直に固定する連結部材とからなり、前記連結部材は前記支柱の端部を嵌合固定する複数の支柱嵌合部を所定の間隔で配設し、前記支柱嵌合部同士を連結桟及び縁枠で一体に連結してなる。そして、前記支柱嵌合部には筒部と前記筒部の内部に配設され通水可能なストッパーが設けられている。
【０００４】
前記支柱と連結部材とは、支柱の上端部を支柱嵌合部の筒部の下部に嵌合させることによって充填材として組み立てられる。上記充填材を使用するには、水平方向に並列させるとともに、垂直方向に積み重ねることによって充填する。このとき、水平方向における充填材同士はＨ型連結具によって固定される。
【０００５】
前記連結部材は、支柱と支柱の間に介在させることによって支柱を垂直方向に連結するとともに、水平方向においても支柱間を一体的に連結する。連結部材は、実際の製品では、幅寸法が５００ｍｍ×５００ｍｍ、高さ寸法が５０ｍｍに形成されている。支柱の長さ寸法は２７０ｍｍであって、支柱嵌合部には２５ｍｍの長さだけ嵌合するようになっている。
【０００６】
【発明が解決しようとする課題】
前記連結部材は、材料の節減と雨水等の貯留及び浸透槽の空隙率を上げるために、高さ寸法を最小限に形成されている。一方、連結部材の支柱嵌合部における筒部の長さも連結部材の高さ寸法に合わせて形成されているために、十分な挿入長さに形成されていない。
【０００７】
このために、運搬中に、支柱が連結部材から外れるということがあった。特に、連結部材の四隅に組み立てられた支柱は、他の充填材等と接触したり衝突することが多く、他の部分の支柱よりも外れる確率が高かった。外れた支柱は、連結部材に再度取り付けなければならないから、雨水等の貯留及び浸透槽に充填する際に、作業効率が悪くなるという問題があった。
【０００８】
また、雨水等の貯留及び浸透槽が小型であり、従って充填材も低荷重用で足りる場合には、使用する支柱の本数を減らして連結部材に組み立てられることがある。このような場合に、連結部材から支柱が外れることは、強度上重大な支障を来すことになる。特に、四隅の支柱が外れた充填材は使用することができない。そのために、充填材を雨水等の貯留及び浸透槽に充填する際に、一つずつ支柱の本数を確認しなければならず、手間を要するという問題があった。
【０００９】
この発明は、かかる現況に鑑みてなされたもので、運搬中に支柱が連結部材から外れることがなく、しかも従来に比して充填作業の効率がよく、より堅牢に組み立てられる雨水等の貯留及び浸透槽用充填材を提供するものである。
【００１０】
【課題を解決するための手段】
この発明は、上記目的を達成するために次のような構成とした。即ち、この発明に係る雨水等の貯留及び浸透槽用充填材は、中空体である複数の着脱自在支柱と前記着脱自在支柱を垂直に固定する連結部材とからなり、前記連結部材は、着脱自在支柱端部を挿入固定する複数の支柱嵌合部を連結桟及び縁枠で一体に連結し、前記支柱嵌合部は着脱自在支柱端部を挿入する筒部の内部に設けたストッパーにより上面開口部と下面開口部に分割されており、隅部における下面開口部を縁枠の下端から下方に突出させたことを特徴とする。隅部における下面開口部の長さは、着脱自在支柱の幅の０．７５〜３．０倍にすることが好ましい。
【００１１】
また、この発明に係る雨水等の貯留及び浸透槽用充填材は、中空体である複数の着脱自在支柱と前記着脱自在支柱を垂直に固定する連結部材とからなり、前記連結部材は、着脱自在支柱端部を挿入固定する複数の支柱嵌合部を連結桟及び縁枠で一体に連結し、前記支柱嵌合部は支柱端部を挿入する筒部の内部に設けたストッパーにより上面開口部と下面開口部に分割されており、隅部における下面開口部を縁枠の下端から下方に延長して固定支柱を一体に形成したことを特徴とする。連結部材の略中心部に設けた支柱嵌合部の下面開口部を縁枠の下端から下方に延長して固定支柱を一体に形成してもよい。
【００１２】
【発明の実施の形態】
以下に、図１〜４に示す第１の発明の実施形態について詳細に説明する。この発明に係る充填材１は、連結部材１１と着脱自在支柱３１とからなる。連結部材１１は、上下面に開口した支柱嵌合部１２を複数個所定の間隔で配設し、前記複数の支柱嵌合部１２を連結桟２１で連結すると共に、四周を側板２６ａ及び天板２６ｂからなる縁枠２６で縁取りすることにより形成されている。前記連結桟２１は側板２１ａ及び天板２１ｂからなり、正方形の縁枠２６の側板２６ａに対して対角状に設けられている。連結桟２１の側板２１ａは、図３に示すように、円弧状に湾曲している。
【００１３】
なお、連結部材１１の平面形状は、正方形に限定されるものではなく、長方形、三角形、あるいはその他の多角形であってもよい。また、連結桟２１は側板２１ａ同士を湾曲させることなく平行に形成してもよい。さらに、連結桟２１は前記構造に限定されるものではなく、支柱嵌合部１２を連結可能な構造であれば適宜の形状に変更できるものである。
【００１４】
前記支柱嵌合部１２は、筒部１３と前記筒部１３の内部に配設したストッパー１４とからなり、ストッパー１４はドーナツ状の板状体であって、筒部１３の高さの略中間位置に設けられている。ストッパー１４を設けることによって、筒部１３は、上面開口部１３ａと下面開口部１３ｂに分割されている。ストッパー１４には、中央部の透孔１４ａと筒部１３の内面に接する透孔１４ｂが設けられており、筒部１３の上下から挿入された着脱自在支柱３１の端面を係止すると共に、着脱自在支柱３１同士を連通させて内部に流入した雨水等を通水するように形成されている。
【００１５】
なお、ストッパー１４の構造は、上記構造のように板状体に透孔１４ａを設けるものではなく、単に内方に突出するリブであってもよく、あるいは簀の子状または井桁状の構造であってもよく、その他嵌合した着脱自在支柱３１を係止する構造であれば特に限定されるものではない。
【００１６】
また、前記上面開口部１３ａの内面上部は、組立時に上段に積んだ充填材の着脱自在支柱３１の下端部が容易に嵌合するように、開口に向かって拡径したテーパ面とすることが好ましい。さらに、連結部材１１の中央部における筒部１３では、上面開口部１３ａの内径寸法は下面開口部１３ｂの内径寸法と同じか、わずかに大きく形成しているが、中央部の筒部から縁枠２６側に離れるに従って上面開口部１３ａの内径は下面開口部１３ｂのそれよりも大きく形成することが好ましい。
【００１７】
上記のように、上面開口部１３ａと下面開口部１３ｂとの内径寸法の差、即ち、中央部から縁枠２６側に離れるに従って上面開口部１３ａを下面開口部１３ｂよりも大きく形成すれば、施工時に充填材を容易に積み重ねることができる。この理由は、上記連結部材１１と着脱自在支柱３１とを組み立ててなる充填材は、支柱の間隔がすべて等間隔で垂直に組み立てられているとは限らない。しかしながら、上記構成のように、上面開口部１３ａと下面開口部１３ｂとの内径の差を中央部から離れるに従って大きく形成することによって、筒部１３と着脱自在支柱３１との対向位置が多少ずれていても嵌合させることができるからである。
【００１８】
また、下面開口部１３ｂの内面には、係止片１５が前記透孔１４ｂと対向する下方の位置に突設されている。前記係止片１５は、ストッパー１４の下方にあって着脱自在支柱３１に当接し、着脱自在支柱３１が容易に抜け落ちないように係止するものである。なお、前記係止片１５は省略することが可能である。
【００１９】
さらに、この発明では、四隅における筒部１３の下面開口部１３Ｂは、他の部分の下面開口部１３ｂよりも長く形成されている。即ち、四隅以外の下面開口部１３ｂの長さは、縁枠２６の高さ寸法に合わせて形成されているが、四隅の下面開口部１３Ｂは、縁枠２６の下端から下方に突出して形成されている。四隅の下面開口部１３Ｂの長さＬは、縁枠２６の下端から突出しているとともに、支柱の平面形状が円又は正方形の場合は支柱の幅（外径）寸法Ｄに対して０．７５Ｄ≦Ｌ≦３．０Ｄとすることが好ましい。
【００２０】
四隅の下面開口部１３Ｂの長さＬが、支柱の幅（外径）寸法Ｄの０．７５倍以下の場合は、支柱の外れ防止効果が得られない。また、四隅の下面開口部１３Ｂの長さＬが、支柱の幅（外径）寸法Ｄの３．０倍以上の場合は、連結部材１１を成形する金型や成形機が大きくなってコストアップになるばかりでなく、着脱自在支柱と連結部材の組立作業の能率が低下する。
【００２１】
また、四隅の筒部１３は、下面開口部１３Ｂが縁枠２６から突出している分だけ他の下面開口部１３ｂよりも長いことから、下面開口部１３Ｂの開口径をわずかに大きく形成して周面を末広がりのわずかなテーパ面としてもよい。このように、四隅の下面開口部１３Ｂの下面開口側を太く形成してテーパ面とした場合には、前記下面開口部１３Ｂに挿入する着脱自在支柱３１の端部も密着して挿入するように、先端を細くしたテーパ面とすることが好ましい。四隅の下面開口部１３Ｂと着脱自在支柱先端部をテーパ面とすることにより挿入が容易であるとともに、より密着させることによって確実に組み立てることができる。
【００２２】
なお、上記実施形態では、四隅の下面開口部１３Ｂの長さを縁枠２６の下端から突出させた場合について説明したが、四隅に限定されるものではなく、衝突して脱落のおそれのある縁枠２６に接する筒部１３においても、下面開口部１３ｂを縁枠２６の下端から突出して形成してもよい。このように、四隅のみならず縁枠２６に接する筒部１３の下面開口部１３ｂを縁枠２６の下端から突出して形成した場合には、着脱自在支柱３１の脱落を防止するばかりでなく、より一層堅牢な充填材とすることができる。
【００２３】
次に、着脱自在支柱３１について説明する。着脱自在支柱３１は、円筒体であって、両端縁部に前記筒部１３の下面開口部１３ｂ、１３Ｂに設けた係止片１５に係止する環状膨出部３２が形成されており、さらに、下面開口部１３ｂ、１３Ｂに挿入可能な環状突起３３が形成されている。前記環状膨出部３２及び環状突起３３は着脱自在支柱３１の両端縁部において上下対称に形成されており、いずれかの端部を下面開口部１３ｂ、１３Ｂに任意に挿入することができる。
【００２４】
着脱自在支柱３１を下面開口部１３ｂ、１３Ｂに挿入すると、前記環状膨出部３２が係止片１５と係合して容易に抜け落ちないと共に、環状突起３３が下面開口部１３ｂ、１３Ｂに嵌合することによってさらに緊密に嵌合する。また、着脱自在支柱３１には、内部に雨水等を流入させるための貫通孔３４が設けられている。
【００２５】
なお、上記実施形態における着脱自在支柱３１は、円筒体に限定されるものではなく、支柱の平面形状が三角形、矩形、その他の多角形あるいは楕円形であってもよい。支柱の平面形状が楕円又は長方形の場合は、四隅の下面開口部１３Ｂの長さＬは、支柱の短辺寸法Ｍ、長辺寸法Ｎに対して０．７５Ｍ≦Ｌ≦３．０Ｎとする。また、環状膨出部３２及び環状突起３３は適宜省略することができる。環状膨出部３２及び環状突起３３を適宜省略した場合には、押出成形したパイプを適宜の長さに切断して着脱自在支柱３１とすることも可能であり、貫通孔３４は後加工により設ければよい。
【００２６】
次に、連結部材１１と着脱自在支柱３１を充填材として組み立てる場合について説明すると、連結部材１１の支柱嵌合部１２を構成する下面開口部１３ｂ、１３Ｂに着脱自在支柱３１の端部を嵌合させれば、着脱自在支柱３１の端面はストッパー１４に当接するとともに、係止片１５と係合することによって固定され、連結部材１１の下面に着脱自在支柱３１を一体に取り付けた充填材が組み立てられる。このとき、着脱自在支柱３１は環状膨出部３２及び環状突起３３が緊密に嵌合することによって連結部材１１に対してほぼ直角に固定される。
【００２７】
次に、図５、６に示す第２の発明の実施形態について説明する。前記の第１の発明の実施態様と同一構成については同一符号を付すことによって重複説明を避け、異なる部分についてのみ詳細に説明する。この発明に係る充填材２は、連結部材４１と着脱自在支柱３１とからなる。連結部材４１は、上下面に開口した支柱嵌合部１２を複数個所定の間隔で配設し、前記複数の支柱嵌合部１２を連結桟２１で連結すると共に、四周を側板２６ａ及び天板２６ｂからなる縁枠２６で縁取りすることにより形成されている。前記連結桟２１は四周を側板２１ａ及び天板２１ｂからなり、正方形の縁枠２６の側板２６ａに対して対角状に設けられている。
【００２８】
前記支柱嵌合部１２は、筒部１３と前記筒部１３の内部に配設したストッパー１４とからなり、ストッパー１４はドーナツ状の板状体であって、筒部１３の高さの略中間位置に設けられている。ストッパー１４を設けることによって、筒部１３は、上面開口部１３ａと下面開口部１３ｂに分割されている。ストッパー１４には、中央部の透孔１４ａと筒部１３の内面に接する透孔１４ｂが設けられている。
【００２９】
また、四隅の支柱嵌合部１２の下面開口部１３Ｂは、縁枠２６の下端から下方に延長して固定支柱３６となって連結部材４１に一体に形成されている。固定支柱３６は、ストッパー１４から固定支柱３６の下端面までの長さを着脱自在支柱３１の長さと同一とし、下端縁には環状膨出部３２及び環状突起３３を設けるとともに、適所に透孔３４を設ける。
【００３０】
さらに、四隅以外の支柱嵌合部１２の下面開口部１３ｂの内面には、係止片１５が前記透孔１４ｂと対向する下方の位置に突設されている。前記係止片１５は、ストッパー１４の下方にあって着脱自在支柱３１に当接し、着脱自在支柱３１が容易に抜け落ちないように係止するものである。なお、前記係止片１５は省略することが可能である。
【００３１】
次に、四隅以外の支柱嵌合部１２の下面開口部１３ｂに嵌合する着脱自在支柱３１について説明する。着脱自在支柱３１は、円筒体であって、両端縁部に前記筒部１３の下面開口部１３ｂ、１３Ｂに設けた係止片１５に係止する環状膨出部３２が形成されており、さらに、四隅以外の下面開口部１３ｂに挿入可能な環状突起３３が形成されている。前記環状膨出部３２及び環状突起３３は着脱自在支柱３１の両端縁部において上下対称に形成されており、いずれかの端部を下面開口部１３ｂに任意に挿入することができる。
【００３２】
各支柱嵌合部１２は、上記のとおり構成されているため、充填材を上下に積み重ねた場合、固定支柱３６同士及び着脱自在支柱３１同士を連通させて雨水等を各支柱の内部に通水することができる。
【００３３】
なお、上記実施形態では、四隅における支柱嵌合部１２の下面開口部１３Ｂと固定支柱３６を一体に形成した場合について説明したが、連結部材４１の平面における中心部の支柱嵌合部１２を四隅と同じように、下面開口部を下方に延長して固定支柱３６を一体に形成する構成としてもよい。このように、四隅のみならず連結部材４１の中心部においても支柱嵌合部１２の下面開口部１３Ｂを下方に延長して固定支柱を一体に形成した場合には、支柱の脱落を防止するばかりでなく、組立が容易であり一層堅牢な充填材とすることができる。
【００３４】
上記２つの発明の充填材を実際に雨水等の貯留及び浸透槽に充填するには、水平方向に並列させた充填材の縁枠２６同士を突き合わせて、縁枠に設けた連結具挿入孔４２に連結具を挿入して一体に連結する。さらに、前記並列した充填材の支柱嵌合部１２の上面開口部１３ａに、上段の充填材の支柱３１、３６の下端部を嵌合し、このようにして、充填材を水平方向の前後左右に並列させるとともに、垂直方向に積み重ねて充填すればよい。
【００３５】
次に、上記２つの発明の充填材を雨水等の貯留槽に使用する場合について説明すると、まず、地面を堀下げて凹状の掘削部を形成し、底部に遮水シート等を敷設して、その上に土砂浸入防止板を敷き並べて、上記構成の充填材を充填する。これらの充填材の側面には土砂浸入防止板を載置し、その外側を遮水シートで包んだ後に掘削部の側面空間を埋め戻し、充填材の上面には土砂浸入防止板を載置し、その上に土砂等による被覆層を設ければよい。
【００３６】
前記充填材を充填してなる雨水等の貯留槽には、住宅地等の側溝、家屋の雨樋等に通じる雨水等の流入口と、一定の貯水量を越えた時に排水するための流出口を設けるとともに、雨水等を外部に汲み上げるための取水用パイプを配設しておき、ポンプにより汲み上げが可能な構成としておければよい。上記のような雨水等の貯留槽とした場合には、空隙率が高く多量の雨水を貯留することができる。
【００３７】
また、雨水等の浸透槽に使用する場合には、地面を掘り下げた凹状の掘削部の底面及び周面を雨水等が浸透可能な透水層としておけばよい。雨水は上部被覆層から浸透するとともに、流入口から流入して浸透槽内に貯留され、時間の経過にともなって浸透槽の側面及び底面から徐々に地中に浸透する。したがって、集中豪雨があっても一時的に雨水等をこの浸透槽内に貯留させることができるから、家屋を浸水させたり、河川を氾濫させることがなく、また、地中に浸透させることにより地下水の涵養が可能となる。
【００３８】
【発明の効果】
第１の発明に係る充填材によれば、連結部材の隅部における下面開口部を縁枠の下端から下方に突出させたから、組み立てた着脱自在支柱が運搬時等に脱落することがない。このため、雨水等の貯留及び浸透槽への積み込み時に支柱の点検工程を省くことができ、施工時間を短縮することができるとともに、支柱の脱落による強度低下のおそれがない。
【００３９】
第２の発明に係る充填材によれば、連結部材の隅部における下面開口部を縁枠の下端から下方に延長して固定支柱を一体に形成したから、運搬時等に脱落することがなく強度も向上した。また、組立時間を短縮することができるとともに、支柱と連結部材を一体に形成することによって、支柱の連結部材に対する角度はほぼ直角であるから、充填材を上下方向に積み重ねる際に上段の支柱の下端部を下段の支柱嵌合部の上面開口部に容易に嵌合させることができ、作業能率を向上させることができる。さらに、隅部以外の支柱嵌合部の下面開口部に着脱自在支柱を取り付けることができ、要求される荷重に対応させて着脱自在支柱の数を増減することができるから、充填材のコストダウンを図ることができる。
【図面の簡単な説明】
【図１】第１の発明に係る充填材の一部を切り欠いた説明用正面図である。
【図２】第１の発明に係る充填材の四隅の支柱嵌合部を示す断面図である。
【図３】第１の発明に係る充填材を構成する連結部材を示し、上半分が平面図、下半分が底面図である。
【図４】着脱自在支柱の平面形状を示す平面図である。
【図５】第２の発明に係る充填材を構成する連結部材の説明用正面図である。
【図６】第２の発明に係る充填材の四隅の支柱嵌合部を示す断面図である。
【符号の説明】
１、２：充填材
１２：支柱嵌合部
１３：筒部
１３Ｂ：四隅の下面開口部
１３ａ：上面開口部
１３ｂ：下面開口部
１４：ストッパー
１５：係止片
２１：連結桟
２６：縁枠
３１：着脱自在支柱
３２：環状膨出部
３３：環状突起
３４：透孔
４１：連結部材
４２：連結具挿入孔
【図１】
2004019205.tif 000003
【図２】
2004019205.tif 000004
【図３】
2004019205.tif 000005
【図４】
2004019205.tif 000006
【図５】
2004019205.tif 000007
【図６】
2004019205.tif 000008